(57)【要約】【課題】光ディスク等に記録される不正コピー防止等のためのディスク固有の識別情報を、不可逆的に形成することで消去を不可能にし、且つ、通常のドライブでの擬似的マークの形成ができない記録媒体と、その再生方法を提供することを目的とする。【解決手段】ランドとグルーブを備えた情報の書き換えが可能な相変化型光ディスクの再生方法であって、前記相変化型光ディスクはユーザデータの記録領域外に不可逆的に形成されたマークにより情報を記録した管理領域を備え、前記不可逆的に設けたマークは、隣接するランドおよびグルーブで、位相をそろえて連続的、且つ、一体に設けられており、前記管理領域をサーボオフの状態で読み出して再生データを生成し、前記再生データをもとに前記ユーザデータを再生することで、不正コピーを防止する手段を提供する。【選択図】        図１
2004192768.tif 000002
【特許請求の範囲】
【請求項１】
ランドとグルーブを備えた情報の書き換えが可能な相変化型光ディスクの再生方法であって、前記相変化型光ディスクはユーザデータの記録領域外に不可逆的に形成されたマークにより情報を記録した管理領域を備え、前記不可逆的に設けたマークは、隣接するランドおよびグルーブで、位相をそろえて連続的、且つ、一体に設けられており、前記管理領域をサーボオフの状態で読み出して再生データを生成し、前記再生データをもとに前記ユーザデータを再生することを特徴とする相変化型光ディスクの再生方法。
【請求項２】
ランドとグルーブを備えた情報の書き換えが可能な相変化型光ディスクの再生方法であって、前記相変化型光ディスクはユーザデータの記録領域外に不可逆的に形成されたマークにより情報を記録した管理領域を備え、前記不可逆的に設けたマークは、隣接するランドおよびグルーブで、半径方向に連続的、且つ、一体に設けられており、前記管理領域をサーボオフの状態で読み出して再生データを生成し、前記再生データをもとに前記ユーザデータを再生することを特徴とする相変化型光ディスクの再生方法。
【請求項３】
ランドとグルーブを備えた情報の書き換えが可能な相変化型光ディスクの再生方法であって、前記相変化型光ディスクはユーザデータの記録領域外に不可逆的に形成されたマークにより情報を記録した管理領域を備え、前記不可逆的に設けたマークは、隣接するランドおよびグルーブで、半径方向に連続的、且つ、一体に設けられており、前記管理領域に対してトラッキングを行って再生光を照射して再生データを生成し、前記再生データをもとに前記ユーザデータを再生することを特徴とする相変化型光ディスクの再生方法。
【請求項４】
請求項１〜３に記載の相変化型光ディスクの再生方法において、前記不可逆的に設けたマークのトラック方向の長さが、光スポット径よりも長いことを特徴とする相変化型光ディスクの再生方法。
【請求項５】
ランドとグルーブを備えた情報の書き換えが可能な相変化型光ディスクであって、前記相変化型光ディスクはユーザデータの記録領域外に不可逆的に形成されたマークにより情報を記録した管理領域を備え、前記不可逆的に設けたマークは、隣接するランドおよびグルーブで、半径方向に連続的、且つ、一体に設けられ、前記不可逆的に設けたマークのトラック方向の長さが、光スポット径よりも長いことを特徴とする相変化型光ディスク。
【発明の詳細な説明】
【０００１】
【発明の属する技術分野】
本発明は光ディスク及び光ディスクの記録再生方法に係り、特に不正コピー防止のための識別情報を記録する光ディスク及び光ディスクの情報管理方法に関する。
【０００２】
【従来の技術】
従来、光ディスクにおいては、不正コピー防止等のために光ディスク毎に固有の識別情報を記録することが行われている。識別情報を記録する従来技術としては、ＤＶＤ（Digital Versatile Disk）等で用いられているＢＣＡ（Burst Cutting Area）記録や特開平９−０９１７８１号公報、特開２００２−１９７６７０号公報などの方法が知られている。
【０００３】
ＢＣＡではレーザトリミングによってディスクの反射層を部分的に溶融して複数トラックに無反射部分を形成し、この無反射部分をバーコード状に配置することによって、ディスク識別情報を記録する方法である。特開平９−０９１７８１号公報は通常の情報記録よりも遅い線速度と高いレーザーパワーでディスク識別信号を記録膜の不可逆的変化で記録する方法である。特開２００２−１９７６７０号は、記録媒体に通常の情報記録時よりも強いレーザーパワーで記録する、又は通常の情報記録時よりもレーザー照射時間を長くして記録することで不可逆なマークを形成し、複数の不可逆領域と通常領域との交互配置パターンをユーザデータ領域外に製造段階で設けることによって識別情報を記録する方法である。
【０００４】
【特許文献１】
特開平９−０９１７８１号
【特許文献２】
特開２００２−１９７６７０
【０００５】
【発明が解決しようとする課題】
しかし、上述の方法では不可逆領域を形成するので、マークを消去される畏れはないものの、不可逆領域の信号レベルと、初期化後にドライブにより通常記録パワーで形成した可逆マークである非晶質マークとの信号レベルに差がないため、予め不可逆領域を設けていないディスクに対して、通常のドライブで擬似的に不正マークを形成、違法コピー品が作成可能となる畏れがある。
【０００６】
本発明は以上の点に鑑みてなされたもので、不正コピー防止等のためのディスク固有の識別情報を、不可逆的に形成することで消去を不可能にし、且つ、通常のドライブでの擬似的マークの形成ができない記録媒体と、その再生方法を提供することを目的とする。
【０００７】
上記目的とは別の目的として、アドレス情報（ＩＤ）、ＳＹＮＣコード、エラー検出コード（ＥＤＣ）のような固有情報を不可逆的に記録することで、特定セクタの情報書き換えの有無を検出することができるので、管理情報の記録方法及び情報の管理方法として提供することにある。
【０００８】
【課題を解決するための手段】
上記の目的を達成するため、本発明の第1の目的は、ランドとグルーブを備えた情報の書き換えが可能な相変化型光ディスクの再生方法であって、前記相変化型光ディスクはユーザデータの記録領域外に不可逆的に形成されたマークにより情報を記録した管理領域を備え、前記不可逆的に設けたマークは、隣接するランドおよびグルーブで、位相をそろえて連続的、且つ、一体に設けられており、前記管理領域をサーボオフの状態で読み出して再生データを生成し、前記再生データをもとに前記ユーザデータを再生することを特徴とする。
【０００９】
ここで、半径方向に複数の隣接するトラックに亘って不可逆的に形成されたマークは、トラック方向に対してバーコード状に形成されることが好ましい。複数の隣接トラックに亘ってバーコード状にマークを形成すると、サーボオフの状態で読み出しを行ってときに、ランドとグルーブにまたがって光が照射される場合であっても、不可逆的に設けたマークが半径方向に連続しているので、コントラスト比が低下することがない。またこの場合、不可逆的に形成されたマークは、位相のズレが生じても、半径方向に連続的、且つ、一体に形成されていても良い。この時、隣接トラック間で８０%以上不可逆マークが重複していれば、信号レベルが劣化する事がない。
【００１０】
本発明の第２の目的は、ランドとグルーブを備えた情報の書き換えが可能な相変化型光ディスクの再生方法であって、前記相変化型光ディスクはユーザデータの記録領域外に不可逆的に形成されたマークにより情報を記録した管理領域を備え、前記不可逆的に設けたマークは、隣接するランドおよびグルーブで、半径方向に連続的、且つ、一体に設けられており、前記管理領域に対してトラッキングを行って再生光を照射して再生データを生成し、前記再生データをもとに前記ユーザデータを再生することを特徴とする。
【００１１】
トラッキングを行って、上記不可逆的に形成されたマークにより情報を記録した管理領域を読み出す場合であっても、次の理由により通常のドライブで記録を行ったマークとの区別が可能である。すなわち、不可逆的にマークを形成した場合、隣接するトラックの一部にもマークが記録されてしまうが、高パワーで記録をしているために、マーク縁部での再結晶化が起きないのに対して、通常ドライブの記録パワーでマークを形成した場合、記録マーク縁部は結晶化温度に達しているため非晶質部の結晶化現象を生じるため、マークである非晶質部分の縁部には結晶部が形成される。マークを隣接する複数のトラックに亘って形成すると、不可逆的に形成した記録マークの場合図１に示すように、光スポット内の領域全てが非晶質部で暗くなるのに対し、通常ドライブで記録する可逆マークは、図２に示すように結晶部がノイズ部分となるためにコントラスト比が不可逆的に形成した記録マークを形成した場合に比べて低下するため、不可逆的に形成した記録マークと通常に記録する可逆マークとの信号の区別が可能になる。
【００１２】
また、不可逆的に形成した記録マークのトラック方向の長さは、光スポット径λ／ＮＡ（記録再生装置のレーザー波長：λ、レンズの開口数：ＮＡ）より長いと、図１のように光スポット内の領域全てが不可逆的に形成した記録マークになるので、コントラスト比を大きくする事ができるので好ましい。
【００１３】
本発明の第３の目的は、少なくともグルーブを備えた情報の書き換えが可能な相変化型光ディスクにおいては、ユーザデータの記録領域外に不可逆的に形成されたマークにより情報を記録する管理領域を備え、アドレス情報（ＩＤ）を不可逆的に記録することで、情報の書き換えによる不可逆的に記録されたアドレス情報（ＩＤ）の変化から書き換えの有無を検出することができる。すなわち情報管理領域にある管理情報は製造者によって記録され、ユーザによって書き換えできなくすることで不正コピーを監視している。書き換えの有無を検出できる手段を設けることが、不正コピー防止に有効である。一方、管理情報全てを不可逆的に記録するためには、ライトワンス型情報記録媒体を用いて行なうことができ、相変化型や色素型の光ディスクが有効に使用できる。
【００１４】
本発明の第４の目的では、少なくともグルーブを備えた情報の書き換えが可能な相変化型光ディスクにおいては、ユーザデータの記録領域外に不可逆的に形成されたマークにより情報を記録する管理領域を備え、ＳＹＮＣコード、エラー検出コード（ＥＤＣ）の少なくともいずれか一部を不可逆的に記録することで、情報の書き換えによる不可逆的に記録されたＳＹＮＣコードの再生信号長や書き換えられた管理情報から演算されるエラー検出コード（ＥＤＣ）の変化から書き換えの有無を検出することができる。すなわち、情報管理領域にある管理情報は製造者によって記録され、ユーザによって書き換えをできなくすることで、不正コピーを防止しようとしているので、書き換えの有無を検出できる手段を設けることは、不正コピー防止に有効である。一方、管理情報全てを不可逆的に記録することで、通常の書き換え条件より高パワーで記録する領域が増え、装置側の負担が大きくなるが、書き換えができなくなるので有効である。
【００１５】
【発明の実施の形態】
次に、本発明の各実施の形態について、図面と共に説明する。本発明になる記録媒体の第１の実施形態について説明する。図１は本発明になる記録媒体の第１の実施形態である識別情報が記録された所定領域の一部の模式図を示す。
【００１６】
この実施の形態の記録媒体はディスク状光記録媒体であって、情報を記録するためのグルーブが螺旋状又は同心円状に、内周から外周までの範囲内に形成されており、そのうちの所定範囲、例えばディスク内周側の所定範囲のランド（Ｌ）およびグルーブ（Ｇ）に、記録媒体固有の識別情報が、図１に黒色マークで示す非晶質部の不可逆領域と、白色で示す書き換え可能な通常領域（可逆領域）の結晶部との交互配置によって記録されている。なお、図１には示していないが、他の領域のグルーブ及び／或いはランドにはユーザ情報（コンテンツデータ）等が記録される。
【００１７】
このようなマークを通常ドライブを用いて形成しようとした場合、図２に示すように所定範囲のランド（Ｌ）およびグルーブ（Ｇ）に、記録媒体固有の識別情報が、書き換え可能な通常領域（可逆領域）に灰色マークで示す非晶質部と白色で示す結晶部との交互配置によって記録されている。
【００１８】
通常ドライブで可逆的に非晶質部を形成した場合、マーク縁部の再結晶化により、ランドに形成した非晶質マークとグルーブに形成した非晶質マークの間には結晶部が形成されてしまう。一方、媒体に低線速、高パワーで不可逆的なマークを形成する場合には、隣接トラックに対してもマークが形成さてしまうが、隣接トラックにある記録マークは不可逆的であるために再結晶化が起きず、非晶質部間に結晶部が形成されない。
【００１９】
この２種類の記録マークを光スポットにより検出する場合、通常ドライブで形成したマークの場合は非晶質部の間にできた結晶部のため、全体的に明るく見えるのに対し、不可逆的にマークを形成すると、スポット全体を非晶質部、すなわち暗い部分にすることができ、コントラストを通常に比べ高くすることができる。
【００２０】
（実施例１）
本発明で使用した相変化型光ディスクの構造を図３に示す。
直径１２０ｍｍ、厚さ０．６ｍｍのポリカーボネート樹脂板の表面に、アドレス情報などを含む凹凸ピットと、０．６８μｍピッチのＵ字型溝とをあらかじめ形成した基板１１を用意した。Ｕ字型溝の溝幅と溝間（ランド）幅はほぼ等しく約０．３４μｍとした。
【００２１】
この基板１１を、複数のスパッタ室を持ち、膜厚の均一性および再現性に優れたスパッタ装置内の第１スパッタ室に配置した。ターゲットとしてＺｎＳとＳｉＯ2の混合物を用い、アルゴンガス中で厚さ５５ｎｍの（ＺｎＳ）80（ＳｉＯ2）20（モル％）第１誘電体層１２を形成した。次いでこの基板を第２のスパッタ室に移動した後、ターゲットとしてＧｅ８０Ｃｒ２０を用い、窒素含有量５０モル％のアルゴン窒素混合ガス中で厚さ２ｎｍのＧｅＣｒＮ第２誘電体層１３を形成した。
【００２２】
さらにこの基板を第３スパッタ室に移動した後、ターゲットをＧｅ３３Ｓｂ１３Ｔｅ５４（原子％）焼結体として、アルゴンガス中で記録層１４を１０ｎｍ形成した。次いで第４スパッタ室に基板を移動し、Ｇｅ８０Ｃｒ２０ターゲットを用いて窒素含有量５０モル％のアルゴン窒素混合ガス中でＧｅＣｒＮ界面層１５を２ｎｍ形成した。
【００２３】
続いて第５スパッタ室に基板を移動し、ターゲットとしてＺｎＳとＳｉＯ2の混合物を用い、厚さ３８ｎｍの（ＺｎＳ）６０（ＳｉＯ2）４０（モル％）中間層１６を形成した。次いで、第６スパッタ室内でＡｌ９９Ｔｉ１（原子％）合金をターッゲットとして用い、Ａｌ９９Ｔｉ１第１反射層１７を５０ｎｍ形成した。最後に第７スパッタ室室内でＡｇ９７Ｒｕ２Ａｕ１（原子％）をターッゲットとして用い、Ａｇ９７Ｒｕ２Ａｕ１第２反射層１８を５０ｎｍ形成した。積層された基板をスパッタ装置から取り出し、最上層の上に紫外線硬化樹脂保護層１９をスピンコートによって形成した。
【００２４】
同様にしてもう一枚の同様な基板１１'上に（ＺｎＳ）80（ＳｉＯ2）20（モル％）第１誘電体層１２'、ＧｅＣｒＮ第２誘電体層１３'、記録層１４'、ＧｅＣｒＮ界面層１５'、（ＺｎＳ）６０（ＳｉＯ2）４０（モル％）中間層１６'、Ａｌ９９Ｔｉ１（原子％）第１反射層１７'、Ａｇ９７Ｒｕ２Ａｕ１第２反射層１８'、紫外線硬化樹脂保護層１９'を形成した。この２枚の基板を、紫外線硬化樹脂保護層１９、１９'を内側にして接着剤層２０によって貼り合わせを行い、相変化型光ディスク２１を作成した。
【００２５】
次にこの相変化型光ディスク２１の半径２１．５ｍｍ〜２１．７ｍｍの領域の各トラックに対して、パルステック製光ディスク記録再生特性評価装置ＤＤＵ−１０００（レーザー波長：４０５ｎｍ，レンズの開口数：０．６５）を用い、予め情報をコード化した記録パターンを、線速３．０ｍ／ｓ、１０ｍｗの記録パワーで不可逆マークを形成（ＢＣＡ記録）した。この時、各トラックに対しては、隣接するトラック間で位相が揃うようにタイミングを調整をして、バーコード状にマークを形成した。
【００２６】
次に不可逆マークをバーコード状に形成した相変化型光ディスク２１に対して日立製ＣＰ初期化装置ＰＯＰ１２０を用い、線速度６ｍ／ｓ、パワー７００ｍｗ、送り量３６μｍの条件で初期化テストを繰り返し行った結果を図４に示す。初期化装置のレーザ波長は８１０ｎｍで、スポット形状は４８μｍ×１μｍである。１０回の初期化を行った後でも、信号の低下は０．８ｄＢであり、不可逆的にマークが形成されていることが分かる。また同様に、不可逆マークをバーコード状に形成した相変化型光ディスク２１に対してＤＤＵ−１０００を用いて線速度３ｍ／ｓ、２．５ｍｗのパワーでＤＣ消去を繰り返し行った結果を図５に示す。消去を５０回繰り返しても信号の低下は３．１ｄＢで、この結果からも不可逆的にマークが形成されていることが分かる。なお通常再生パワーでの連続再生における信号低下は見られなかった。
【００２７】
（比較例１）
実施例１と同じ条件で作成した相変化型光ディスク１１の同じ領域に、ＤＤＵ−１０００を用い、予め情報をコード化した記録パターンを、線速５．７ｍ／ｓ、５ｍｗの記録パワーで可逆マークを形成（通常記録）した。この時、各トラックに対しては、隣接するトラック間で位相が揃うようにタイミングを調整をして、バーコード状にマークを形成した。
【００２８】
次に不可逆マークをバーコード状に形成した相変化型光ディスク２１に対してＤＤＵ−１０００を用いて線速度５.７ｍ／ｓ、２ｍＷのパワーでＤＣ消去を行った結果を図５に示す。消去を１回行うと信号は２５．９ｄＢ低下する。
【００２９】
（ＢＣＡ記録と通常記録のコントラスト比較）
実施例１でバーコード状にマークを形成した相変化型光ディスクと、比較例１でバーコード状にマークを形成した相変化型光ディスクの反射率を測定したところ、結晶部の反射率は両者とも１７％と同一であるのに対して、非晶質部における反射率は、不可逆的にマークを形成した実施例１の光ディスクの反射率が５％、比較例１の場合が８．５％と、実施例１の方が３．５％低かった。
【００３０】
実施例１の媒体を用いて、線速度および記録パワーを変えて、不可逆マークの形成を行った。その結果、不可逆マークの記録線速度が、通常記録の線速度である５．７ｍ／ｓの０．２５倍より小さい場合、不可逆マークの記録は可能だがその振幅は通常記録マークよりも小さくなった。その理由は、記録膜として線速度５．７ｍ／ｓでも結晶化が可能な材料を用いているため、記録線速度が遅くなりすぎると記録膜の再結晶化領域が大きくなってしまうためである。従って、不可逆マークの形成線速度は、通常記録の線速度の０．２５倍以上が好ましい。不可逆マークの形成線速度が通常記録の線速度と同じでも、不可逆マークの形成は可能である。ただし、この場合記録パワーを通常記録の２倍より小さい値に設定すると、記録されたマークは可逆マークとなった。
【００３１】
不可逆マークを形成するための線速度Ｖａと記録パワーＰａ（ｍＷ）の関係をさらに詳細に調べたところ、Ｖａを通常記録の線速度Ｖの０．２５倍以上１倍以下とし、かつ記録パワーＰａ（ｍＷ）を
Ｐａ＞２×Ｐ×（Ｖａ／Ｖ）１／２
としたときに不可逆マーク形成が正常に行われ、かつ不可逆マークの信号振幅が、通常記録マークの信号振幅の１．３倍以上となった。これ以外の範囲ではマークが可逆マークになったり、不可逆マークが形成されてもその振幅が小さくなった。さらに、
Ｐａ＞２．５×Ｐ×（Ｖａ／Ｖ）１／２
としたときには、不可逆マークの信号振幅が、通常記録マークの信号振幅の１．４倍以上となった。
【００３２】
なお、本実施例においてはランドとグルーブの両方を記録トラックとする場合について述べたが、記録トラックとしてランドもしくはグルーブのどちらか一方を用いる場合についても同様の結果が得られた。この場合、不可逆マークは記録トラック上のみに形成してもよいが、記録トラック上と記録トラック間の両方に形成しても良い。
【００３３】
（実施例２）
実施例１では、ランドとグルーブに記録トラックを設け、ランドとグルーブに記録したマークを半径方向にほぼ揃えて重ね書きして不可逆的に記録した場合について述べたが、実施例２では、管理情報データをＢＣＡ記録条件で管理情報領域に不可逆的記録マークとして形成する場合について述べる。
【００３４】
相変化型光ディスクは実施例１と同様にして作成した。ＤＤＵ−１０００を用い、この相変化型光ディスクの半径２１．５ｍｍ〜２１．７ｍｍの領域に不可逆マークをバーコード状に形成、半径２４．０ｍｍ〜２４．１ｍｍの領域の”Discidentification zone”に、製造者コード、ディスク識別情報、ユーザデータのコピー管理に係わる鍵情報および記録するセクタアドレス情報のような固有情報を８／１６変調した記録信号により、線速３．０ｍ／ｓ、１０ｍｗの記録パワー（ＢＣＡ記録）で不可逆マーク（図６の黒いマークが形成された領域）を形成した。記録再生特性評価装置の代りにＢＣＡ記録専用に作られた記録装置を用いる場合、製造者ＩＤの代りに記録装置固有のＩＤ情報でも良い。ディスク固有情報を記録した相変化型光ディスクは、ユーザの記録装置でユーザデータ（図６の灰色マークが形成された領域）を通常記録条件で記録される。
【００３５】
管理領域に不可逆マークで形成された管理情報は図４及び図５に示すように殆ど消去することができないので、図７のように管理情報を別のセクタにコピー記録した場合、メインデータ中にセクタアドレス情報を組み込んで、不可逆的なマークで記録することにより、記録トラックに埋め込まれているセクタ先頭のセクタアドレス情報とメインデータ中に記録されたセクタアドレス情報が一致しなくなり、管理情報を複製したものとして検出できる。検出は図８に例示するステップにより、不正にコピーされていることが判別できる。
【００３６】
まず管理情報領域に書かれている管理情報を再生する。このときの管理情報を記録しているセクタアドレス情報ＳＡ（ｎ）に指差されたメインデータを再生し、この再生されたメインデータに含むように記録したアドレス情報ＩＤ（ｎ）を取り出す。ここに記録されたアドレス情報ＩＤ（ｎ）はシステム的に予め指定したセクタアドレス情報ＳＡ（ｎ）によって一義的に決まるアドレス情報ＩＤ（ｎ）に一致する必要がある。図８のＩＤ（ｎ'）のように一致しない場合は不正記録した可能性がある。次いでメインデータから検出したアドレス情報ＩＤ（ｎ）は、物理アドレスであるＳＡ（ｎ）と内容比較する。図８のＳＡ（ｎ'）のように比較により一致しない場合は元の管理情報を最初に記録したセクタアドレスＳＡ（ｎ）とは異なるセクタアドレス位置ＳＡ（ｍ）に複製して記録したことは明白である。
【００３７】
このようなプロセスにより不正手段により複製された管理情報であることが判明する。
【００３８】
以上説明したように、書き換え可能な相変化光ディスクのデータコピー管理情報やこれに関連する鍵情報を管理情報に組み込み、ＢＣＡ記録条件で不可逆的なマークを形成することで、不正コピー防止のハードルを高くすることができる。また、重要な情報が誤消去される可能性を低減することができる。
（実施例３）
実施例１、２では、ランドとグルーブに記録トラックを設けたランド・グルーブ記録において、情報管理領域にＢＣＡ記録条件で不可逆的記録した場合について述べたが、次に、グルーブのみに記録トラックを設けた場合の実施例について述べる。
【００３９】
一定周期で蛇行し、ＩＤ情報を重畳して記録したグルーブが形成された厚さ１．１ｍｍの基板上に実施例１と同じ相変化記録膜を逆の順番で積層し、さらに、厚さ０．１ｍｍのカバー層を形成し情報記録媒体を作製した。前記情報記録媒体の記録膜は、実施例１と同様に、初期化装置により初期化を行なった。初期化した前記情報記録媒体を、記録レーザー波長λ＝４０５ｎｍ、対物レンズＮＡ＝０．８５のピックアップを有する記録再生装置を用い、記録線速度＝２．５ｍ／ｓ、バイアスパワーＰｂ＝０．５ｍＷ、メインデータは通常記録パワーＰｗ１＝２．０ｍＷ、ＩＤ、ＳＹＮＣコード、ＥＤＣは不可逆記録パワーＰｗ２＝１０ｍＷ、基準クロックＴ＝３３ＭＨｚで、管理情報領域に記録を行い、ＩＤ、ＳＹＮＣコード、ＥＤＣを不可逆記録マークで形成した（図９−ａ）。前記ディスクを線速度＝６ｍ／ｓ、再生パワーＰｒ＝０．５ｍＷで再生した信号変調度は、通常記録部で６０％、不可逆記録部で７５％であった。
【００４０】
次に、線速度＝５．０ｍ／ｓ、バイアスパワーＰｂ＝２．０ｍＷ、通常記録パワーＰｗ０＝５．０ｍＷで、上記管理情報領域の情報の書き換えを行なった（図９−ｂ）後、再生パワーＰｒ＝０．５ｍＷで再生した。ＳＹＮＣコードは前の情報によってパターンが異なるため、ＳＹＮＣコードが記録された部分が消去できず、スペースに書き換えられるべきＳＹＮＣフレームの部分ではＳＹＮＣコードに連続して記録マークが形成されるため、この部分ではＳＹＮＣコードの再生信号長が変調パターンとは異なり、長くなる。このように再生信号長が変化したことを検出することで、管理情報が書き換えられ（改竄され）たことを検出することができる。特に、別の記録装置を用いた場合、スピンドルのサーボ系制御の安定性が装置によって異なり、ＳＹＮＣコードの記録開始タイミングがずれるため、再生信号長の変化がより大きくなる。
【００４１】
また、エラー検出コード（ＥＤＣ）データはメインデータからの演算結果から決められるので、書き換えによってエラー検出コード（ＥＤＣ）データも異なってくることからも管理情報が書き換えられ（改竄され）たことを検出することができる。
【００４２】
さらに、アドレス情報（ＩＤ）は一般的にトラック方向に連続的に増加するように設定されているので、書き換えようとするデータを別のセクタ・トラックに記録しても蛇行グルーブに記録されているアドレス情報（ＩＤ）との整合が取れなくなるので、管理情報が書き換えられ（改竄され）たことを検出することができる。
【００４３】
上記ではアドレス情報（ＩＤ）、ＳＹＮＣコード、エラー検出コード（ＥＤＣ）全てを不可逆的記録で行なったが、いずれかを組み合わせて不可逆的記録を行なっても良い。このように管理情報領域の固有情報領域のみ不可逆的な記録マークを形成することにより、全ての管理情報を不可逆的なマークで形成する場合に比べ、記録レーザーへの負担が軽減される。
【００４４】
【発明の効果】
本発明によれば、固有の識別情報をバーコード状に不可逆的に設けるので、不正にコピーができない光ディスクとその再生方法を提供することが出来る。
【００４５】
また、ＩＤ、ＳＹＮＣコード、エラー検出コード（ＥＤＣ）のような特定位置に固有の情報が記録される情報を不可逆的マークで形成することで、情報の書き換え（改竄）を行なった場合、容易に検出することができ、管理情報領域に適用することで、管理情報の改竄防止に有効である。
【図面の簡単な説明】
【図１】不可逆的に形成した記録マークを示す図である。
【図２】ドライブで通常に形成した記録マークを示す図である。
【図３】本発明の記録媒体の構造を示す図である。
【図４】初期化実験の結果を示す図である。
【図５】消去実験の結果を示す図である。
【図６】不可逆記録管理領域と通常記録ユーザ領域を示す図である。
【図７】オリジナルデータとコピーデータのセクタ配置を示す図である。
【図８】管理情報の整合性を判別するステップを示す図である。
【図９】管理情報を書き換えた場合のデータ配列を示す図である。
【符号の説明】
１１、１１'  基板
１２、１２'  第１誘電体層
１３、１３'  第２誘電体層
１４、１４'  記録層
１５、１５'  界面層
１６、１６'  中間層
１７、１７'  第１反射層
１８、１８'  第２反射層
１９、１９'  紫外線硬化樹脂保護層
２０  接着剤層
２１  相変化型光ディスク
【図１】
2004192768.tif 000003
【図２】
2004192768.tif 000004
【図３】
2004192768.tif 000005
【図４】
2004192768.tif 000006
【図５】
2004192768.tif 000007
【図６】
2004192768.tif 000008
【図７】
2004192768.tif 000009
【図８】
2004192768.tif 000010
【図９】
2004192768.tif 000011